(57)【要約】【課題】基板装着用光通信デバイスを基板からリリースするとき接続側コネクタに作用する回動方向の力を低減させて、基板装着用光通信デバイスの信頼性を向上できる基板装着用光通信デバイスのリリース機構を提供する。【解決手段】基板装着用光通信デバイス１０のデバイス本体部１１に設けられた接続側コネクタ１２を基板２上に設けられた基板側コネクタ８から離脱させるリリース機構１３において、デバイス本体部１１と基板２との間に介設されデバイス本体部１１を基板側コネクタ８から離脱する方向に移動可能にガイドするガイド部材１５と、デバイス本体部１１に設けられガイド部材１５を基板２側に片押しするリリースレバー１６とを備えたものである。【選択図】        図１
2004164962.tif 000002
【特許請求の範囲】
【請求項１】
基板装着用光通信デバイスのデバイス本体部に設けられた接続側コネクタを基板上に設けられた基板側コネクタから離脱させるリリース機構において、上記デバイス本体部と基板との間に介設され上記デバイス本体部を上記基板側コネクタから離脱する方向に移動可能にガイドするガイド部材と、上記デバイス本体部に設けられ上記ガイド部材を上記基板側に片押しするリリース部材とを備えたことを特徴とする基板装着用光通信デバイスのリリース機構。
【請求項２】
上記ガイド部材は、上記デバイス本体部に上記接続側コネクタの着脱方向にスライド可能に取り付けられた請求項１記載の基板装着用光通信デバイスのリリース機構。
【請求項３】
上記デバイス本体部は、上記接続側コネクタの着脱方向に上記ガイド部材をスライド可能に案内する溝または穴を有する請求項１又は２記載の基板装着用光通信デバイスのリリース機構。
【請求項４】
上記ガイド部材は、上記接続側コネクタの接続口を上記基板側に露出させるための貫通穴を有する請求項１〜３いずれかに記載の基板装着用光通信デバイスのリリース機構。
【請求項５】
上記ガイド部材は、上記基板に接する面を上記デバイス本体部の接続側の面の最大寸法内に収まる大きさに形成された請求項１〜４いずれかに記載の基板装着用光通信デバイスのリリース機構。
【発明の詳細な説明】
【０００１】
【発明の属する技術分野】
本発明は、回路基板上にコネクタ嵌合により着脱自在に装着される基板装着用光通信デバイスのリリース機構に関するものである。
【０００２】
【従来の技術】
光通信においては、光ファイバ伝送路における光信号と通信処理装置における電気信号とを相互に変換する光送信機及び光受信機が必要である。ここでは、光送信機、光受信機及び光トランシーバ（光送信機と光受信機とを一体に構成したもの）を総称して光通信デバイスと呼ぶ。
【０００３】
また、光通信デバイスを回路基板（ホスト回路基板）等の母体に取り付ける方式には、半田付けなどで恒久的に固定する方式と、回路基板に固定されたソケットなどの固定具（兼電気的接続具）に装着して着脱を可能にする方式とがあり、後者の方式に用いる光通信デバイスを基板装着用光通信デバイスと呼ぶこととする。
【０００４】
図６及び図７に示すように、基板装着用光通信デバイス１は、接続側コネクタ７を基板側コネクタ８から離脱させるリリース機構９を備えている。
【０００５】
リリース機構９は、デバイス本体部５の端に側面視Ｌ字状に形成されたリリースレバー３を回動可能に設けて構成されている。具体的には、リリースレバー３は、回動されたときに回路基板２を屈曲部４で押すように一端をピン６を介してデバイス本体部５に回動自在に取り付けられている。
【０００６】
図８（ａ）に示すように、回路基板２に装着された基板装着用光通信デバイス１を回路基板２から取り外す場合、リリースレバー３を指で押し倒す。リリースレバー３を傾倒させ始めると、屈曲部４が回路基板２に接触し、さらにリリースレバー３を傾倒させることで図８（ｂ）に示すように屈曲部４がピン６を支点として回路基板２を押す。そして、屈曲部４を支点としてピン６を持ち上げるテコが形成され、ピン６の押し上げによってデバイス本体部５が持ち上がる。これに伴い、接続側コネクタ７が基板側コネクタ８から離れる方向に移動される。
【０００７】
図８（ｃ）に示すように、リリースレバー３を完全に倒すと、接続側コネクタ７と基板側コネクタ８は嵌合状態を保持する力をほとんど失い、デバイス本体部５は回路基板２から若干浮き上がる。したがって、デバイス本体部５を指などでつまんで回路基板２から容易に取り外すことができる。
【０００８】
【特許文献１】
特開平５−２６６９４６号公報
【０００９】
【発明が解決しようとする課題】
しかしながら、リリースレバー３を傾倒させるとき接続側コネクタ７は回路基板２に対して回動する方向の力を受け、基板側コネクタ８に対して斜めに傾きながら移動するため、コネクタ７，８間で摩擦や応力が発生し、コネクタ７，８を劣化させる虞があるという課題があった。
【００１０】
また、接続側コネクタ７または基板側コネクタ８が半田付け等でデバイス本体部５または回路基板２に接合されている場合、接続側コネクタ７が傾きながら移動することで半田に無理な力がかかり、半田を劣化させて断線させてしまう虞があるという課題があった。そして、いずれの課題も光通信デバイスの信頼性に結びつくものであった。
【００１１】
そこで、本発明の目的は、上記課題を解決し、基板装着用光通信デバイスを基板からリリースするとき接続側コネクタに作用する回動方向の力を低減して、基板装着用光通信デバイスの信頼性を向上できる基板装着用光通信デバイスのリリース機構を提供することにある。
【００１２】
【課題を解決するための手段】
上記目的を達成するために本発明は、基板装着用光通信デバイスのデバイス本体部に設けられた接続側コネクタを基板上に設けられた基板側コネクタから離脱させるリリース機構において、上記デバイス本体部と基板との間に介設され上記デバイス本体部を上記基板側コネクタから離脱する方向に移動可能にガイドするガイド部材と、上記デバイス本体部に設けられ上記ガイド部材を上記基板側に片押しするリリース部材とを備えたものである。
【００１３】
リリース部材を用いてデバイス本体部を基板から離すとき、デバイス本体部の回動を規制することから接続側コネクタに作用する回動方向の力を低減することができ、基板装着用光通信デバイスの信頼性を向上できる。
【００１４】
上記ガイド部材は、上記デバイス本体部に上記接続側コネクタの着脱方向にスライド可能に取り付けられるとよい。
【００１５】
また、上記デバイス本体部は、上記接続側コネクタの着脱方向に上記ガイド部材をスライド可能に案内する溝または穴を有するとよい。
【００１６】
そして、上記ガイド部材は、上記接続側コネクタの接続口を上記基板側に露出させるための貫通穴を有するとよい。
【００１７】
またさらに、上記ガイド部材は、上記基板に接する面を上記デバイス本体部の接続側の面の最大寸法内に収まる大きさに形成されるとよい。
【００１８】
【発明の実施の形態】
本発明の好適実施の形態を添付図面に基づいて詳述する。
【００１９】
図１及び図２は、本発明の第一実施例である基板装着用光通信デバイスを示すものである。
【００２０】
図１及び図２に示すように、基板装着用光通信デバイス１０は、デバイス本体部１１に設けられ回路基板２上に設けられた基板側コネクタ８に着脱自在に嵌合される接続側コネクタ１２と、デバイス本体部１１に設けられ接続側コネクタ１２を基板側コネクタ８から離脱させるためのリリース機構１３とを備えて構成されている。
【００２１】
接続側コネクタ１２は、基板側コネクタ８に嵌合されることで回路基板２とデバイス本体部１１とを電気的に接続するようになっている。また、接続側コネクタ１２は、接続口１４をデバイス本体部１１から所定高さ（具体的には、後述するガイド部材１５の基部２０の厚さ）突出されており、デバイス本体部１１と回路基板２との間に後述するガイド部材１５を挟むためのスペースを形成するようになっている。
【００２２】
リリース機構１３は、デバイス本体部１１と回路基板２との間に介設されデバイス本体部１１の回動を規制しつつデバイス本体部１１を基板側コネクタ８から離脱する方向に移動可能にガイドするガイド部材１５と、デバイス本体部１１の端に回動可能に設けられガイド部材１５を回路基板２側に片押しするリリースレバー（リリース部材）１６とを備えて構成されている。
【００２３】
図５（ａ）に示すように、リリースレバー１６は、側面視Ｌ字状に形成されており、基板装着時に回路基板２に対して垂直に起立するレバー部１７と、レバー部１７の下端から略直角に屈曲してデバイス本体部１１の中央側に延びるエルボ部１８とからなる。エルボ部１８の突端はピン１９を介してデバイス本体部１１に回動自在に取り付けられており、リリースレバー１６はピン１９を中心に回動するようになっている。すなわち、レバー部１７が回路基板２に対して傾倒自在となっている。エルボ部１８と回路基板２との間には若干の隙間があり、レバー部１７を容易に倒せるようになっている。
【００２４】
図１、図２及び図４に示すように、ガイド部材１５は、基板側コネクタ８に接続側コネクタ１２を嵌合したときデバイス本体部１１と回路基板２との間に挟まれる基部２０と、基部２０から接続側コネクタ１２の着脱方向（嵌合方向）に延びるように形成された案内部２１とを備えて構成されている。
【００２５】
基部２０は、接続側コネクタ１２の接続口１４を基板側に露出させるための貫通穴２２を有し、貫通穴２２内に接続側コネクタ１２を着脱方向移動可能に挿通させるようになっている。貫通穴２２は、接続用コネクタ１２の外周形状に沿うように形状を決定されており、接続用コネクタ１２の移動をガイドするようになっている。また、基部２０は、デバイス本体部１１の接続側の面の最大寸法内に収まる大きさに形成されており、デバイス本体部１１からはみ出さないようになっている。
【００２６】
案内部２１は、複数平行に延びるように基部２０と一体に形成されている。案内部２１は、接続側コネクタ１２の周囲を取り囲むように複数（具体的には４本）互いに離間して形成されており、それぞれの位置でデバイス本体部１１に作用する回動方向の力をスライド方向に逃がすようになっている。特に、接続側コネクタ１２を挟んでリリースレバー１６側に位置する案内部２１と、反対側に位置する案内部２１とは接続側コネクタ１２を挟んで対称となっており、接続側コネクタ１２に作用する回動方向の力をバランス良くスライド方向に逃がして低減するようになっている。
【００２７】
そして、案内部２１はそれぞれ角柱状に形成されており、デバイス本体部１１に長手方向スライド可能に係合されるようになっている。また、案内部２１の先端には、デバイス本体部１１に対するスライド移動を規制するためのストッパ２３が設けられており、ガイド部材１５をデバイス本体部１１から外さないようになっている。ストッパ２３は、案内部２１の先端を屈曲させて形成されている。
【００２８】
図３に示すように、デバイス本体部１１は、ケーシング２４内に光素子や回路基板等（図示せず）を収容してなるものであり、箱状に形成されている。また、デバイス本体部１１の側面には、ガイド部材１５の案内部２１をそれぞれ接続側コネクタ１２の着脱方向にスライド可能に案内するためのガイド溝２５，２６が互いに離間して形成されている。ガイド溝２５，２６は、案内部２１に嵌合する角溝状に形成されており、案内部２１を接続側コネクタ１２の着脱方向にのみ移動可能としている。
【００２９】
次に本実施の形態の作用を述べる。
【００３０】
図５（ａ）に示すように、回路基板２に装着された基板装着用光通信デバイス１０を回路基板２から取り外す場合、指でレバー部１７を押して傾倒させる。このときリリースレバー１６は若干の隙間を隔ててガイド部材１５の基部２０から離間されているため、比較的容易に傾倒できる。
【００３１】
レバー部１７が微小な角度傾倒されると、図５（ｂ）に示すように、リリースレバー１６の屈曲部２７が基部２０に接触する。
【００３２】
この後、レバー部１７をさらに傾倒させると、屈曲部２７がピン１９を支点として基部２０を片押しする。そして、屈曲部２７を支点としてピン１９を持ち上げるテコが形成され、ピン１９の押し上げによってデバイス本体部１１が持ち上がる。これに伴い、接続側コネクタ１２が基板側コネクタ８から離れる方向に移動され始める。このとき、基部２０はリリースレバー１６によって回路基板２に押し付けられるため、ガイド部材１５は回路基板２に圧着固定される。また、デバイス本体部１１に作用する回動方向の力は、ガイド溝２５，２６の回動方向に向く面が案内部２１に当たることで規制される。そして、デバイス本体部１１は複数の位置でガイド部材１５の案内部２１に移動方向を規制され、接続側コネクタ１２もガイド部材１５の基部２０に移動方向を規制されているため、デバイス本体部１１は装着時の姿勢を保ったまま（回動することなく）案内部２１に沿って接続側コネクタ１２の着脱方向にスライド移動される。すなわち、デバイス本体部１１は回路基板２に対して平行な姿勢を保ったまま垂直に移動する。
【００３３】
図５（ｃ）に示すように、レバー部１７を完全に倒すと、接続側コネクタ１２と基板側コネクタ８は嵌合状態を保持する力をほとんど失い、デバイス本体部１１は回路基板２から若干浮き上がる。したがって、デバイス本体部１１を指などでつまむことで、回路基板２から基板装着用光通信デバイス１０を容易に取り外すことができる。
【００３４】
また、ガイド部材１５はストッパ２３でデバイス本体部１１の移動を規制しているため、基板装着用光通信デバイス１０を回路基板２から取り外したあともデバイス本体部１１から外れることはなく、デバイス本体部１１と一緒に取り扱うことができる。
【００３５】
このように、デバイス本体部１１と基板２との間に介設されデバイス本体部１１を基板側コネクタ８から離脱する方向に移動可能にガイドするガイド部材１５と、デバイス本体部１１に設けられガイド部材１５を基板２側に片押しするリリースレバー１６とを備えて基板装着用光通信デバイス１０のリリース機構１３を構成したため、基板装着用光通信デバイス１０を回路基板２からリリースするとき接続側コネクタ１２に作用する回動方向の力を低減させることができ、基板装着用光通信デバイス１０の信頼性を向上できる。
【００３６】
また、ガイド部材１５は、デバイス本体部１１に接続側コネクタ１２の着脱方向にスライド可能に取り付けられるものとしたため、デバイス本体部１１を回路基板２から取り外したあともデバイス本体部１１から外れることはなく、紛失等することなく容易に取り扱うことができる。
【００３７】
そして、デバイス本体部１１は、接続側コネクタ１２の着脱方向にガイド部材１５をスライド可能に案内するガイド溝２５，２６を有するものとしたため、基板装着用光通信デバイス１０を簡単な構造に形成できる。
【００３８】
また、ガイド部材１５は、接続側コネクタ１２の接続口１４を回路基板２側に露出させるための貫通穴２２を有するものとしたため、接続側コネクタ１２を基板側コネクタ８から離脱させるとき貫通穴２２の外縁で接続側コネクタ１２の外周をガイドでき、デバイス本体部１１が回動するのをより確実に防ぐことができる。
【００３９】
そして、ガイド部材１５は、回路基板２に接する面（基部２０の底面）をデバイス本体部１１の接続側の面の最大寸法内に収まる大きさに形成されているため、回路基板２上にガイド部材１５を設置するためのエリアを必要とせず、回路基板２をコンパクトに形成でき、既存の回路基板２に対しても基板装着用光通信デバイス１０を装着できる。
【００４０】
なお、リリースレバー１６の屈曲部２７は、角を落として丸みを持たせるとよい。ガイド部材１５との接触を滑らかにできる。
【００４１】
また、ガイド溝２５，２６は、接続用コネクタ１２から見たリリースレバー３の方向に向く面を広く形成するとよい。デバイス本体部１１に作用する回動方向の力を広い面積で受けることができ、デバイス本体部１１を滑らかに移動させることができる。
【００４２】
またさらに、ガイド部材１５の案内部２１は角柱状に形成するものとしたが、円柱状に形成してもよい。
【００４３】
そして、接続側コネクタ１２を挟んでリリースレバー１６側に位置する案内部２１と、反対側に位置する案内部２１とを接続側コネクタ１２を挟んで対称に配置するものとしたが、これに限るものではなく、接続側コネクタ１２に作用する回動方向の力をバランス良くスライド方向に逃がせるように適宜案内部２１の配置を変更してよいのは勿論である。
【００４４】
また、デバイス本体部１１の側面にガイド溝２５，２６を形成するものとしたが、デバイス本体部１１に接続側コネクタ１２の着脱方向に延びるガイド穴（図示せず）を形成し、このガイド穴内にガイド部材１５の案内部２１をスライド可能に挿通させるものとしてもよい。この場合、案内部２１を円柱状とし、ガイド穴を案内部（図示せず）に嵌合いを合わせた丸穴とするとよい。ガイド部材１５に対してデバイス本体部１１を滑らかに精度良くスライドさせることができる。
【００４５】
【発明の効果】
以上要するに本発明によれば、次のような優れた効果を奏する。
（１）コネクタを劣化させずに基板装着用光通信デバイスを取り外すことができ、基板装着用光通信デバイスの信頼性を高めることができる。
【図面の簡単な説明】
【図１】本発明の好適実施の形態を示す基板装着用光通信デバイスと回路基板の斜視図である。
【図２】基板装着用光通信デバイスを回路基板側から見た斜視図である。
【図３】基板装着用光通信デバイスのデバイス本体部の斜視図である。
【図４】基板装着用光通信デバイスのガイド部材の斜視図である。
【図５】（ａ）は回路基板に装着された基板装着用光通信デバイスの側断面図であり、（ｂ）はリリースレバーを倒し始めた同光通信デバイスの側断面図であり、（ｃ）はリリースレバーを倒した同光通信デバイスの側断面図である。
【図６】従来の基板装着用光通信デバイスと回路基板の斜視図である。
【図７】従来の基板装着用光通信デバイスを回路基板側から見た斜視図である。
【図８】（ａ）は回路基板に装着された従来の基板装着用光通信デバイスの側断面図であり、（ｂ）はリリースレバーを倒し始めた同光通信デバイスの側断面図であり、（ｃ）はリリースレバーを倒した同光通信デバイスの側断面図である。
【符号の説明】
２  基板
８  基板側コネクタ
１０  基板装着用光通信デバイス
１１  デバイス本体部
１２  接続側コネクタ
１３  リリース機構
１４  接続口
１５  ガイド部材
１６  リリースレバー（リリース部材）
２２  貫通穴
２５  ガイド溝（溝）
２６  ガイド溝（溝）
【図１】
2004164962.tif 000003
【図２】
2004164962.tif 000004
【図３】
2004164962.tif 000005
【図４】
2004164962.tif 000006
【図５】
2004164962.tif 000007
【図６】
2004164962.tif 000008
【図７】
2004164962.tif 000009
【図８】
2004164962.tif 000010